【事件の表示】
　商願２００９−　１８８５９拒絶査定不服審判事件について、次のとおり審決する。
【結　論】
　原査定を取り消す。
　本願商標は、登録すべきものとする。
【理　由】
第１　本願商標
　本願商標は、「肌美精　ＰＲＥＭＩＵＭ ＬＩＮＥ」の漢字及び欧文字を横書きした構成からなり、第３類「せっけん類，歯磨き，化粧品，香料類」を指定商品として、平成２１年３月１６日に登録出願されたものである。そして、指定商品については、当審における同２２年７月１５日付け手続補正書により、第３類「化粧品」と補正されたものである。
　
第２　原査定の拒絶の理由
　原査定において、本願商標が商標法第４条第１項第１１号に該当するとして、拒絶の理由に引用した登録商標は、以下の１及び２に記載したとおりであり、いずれも現に有効に存続しているものである。
１　引用商標１
　登録第４７８２５９１号商標は、別掲に表示するとおりの構成よりなり、平成１５年９月２６日登録出願、第３０類「アイスクリーム用凝固剤，家庭用食肉軟化剤，ホイップクリーム用安定剤，食品香料（精油のものを除く。），茶，コーヒー及びココア，氷，菓子及びパン，みそ，ウースターソース，グレービーソース，ケチャップソース，しょうゆ，食酢，酢の素，そばつゆ，ドレッシング，ホワイトソース，マヨネーズソース，焼肉のたれ，角砂糖，果糖，氷砂糖，砂糖，麦芽糖，はちみつ，ぶどう糖，粉末あめ，水あめ，ごま塩，食塩，すりごま，セロリーソルト，化学調味料，香辛料，アイスクリームのもと，シャーベットのもと，コーヒー豆，穀物の加工品，アーモンドペースト，ぎょうざ，サンドイッチ，しゅうまい，すし，たこ焼き，肉まんじゅう，ハンバーガー，ピザ，べんとう，ホットドッグ，ミートパイ，ラビオリ，イーストパウダー，こうじ，酵母，ベーキングパウダー，即席菓子のもと，酒かす，米，脱穀済みのえん麦，脱穀済みの大麦，食用粉類，食用グルテン」を指定商品として、同１６年７月２日に設定登録されたものである。そして、商品「菓子及びパン」についての登録は、同１７年１１月１６日付けの異議決定（異議番号２００４−９０５９８）により取り消されており、該商品についての取消の登録が、同１８年２月２４日になされているものである。
　
２　引用商標２
　登録第５１３０２２２号商標は、「消臭力」「リキ（リキの文字は、力の文字の下に小さく表されている。）」及び「プレミアムライン」の漢字及び片仮名文字を三段に横書きしてなり、平成１９年６月８日登録出願、第３類「かつら装着用接着剤，つけまつ毛用接着剤，洗濯用でん粉のり，洗濯用ふのり，つや出し剤，せっけん類，歯磨き，化粧品，薫料，研磨紙，研磨布，研磨用砂，人造軽石，つや出し紙，つや出し布」及び第５類「薬剤，医療用油紙，衛生マスク，オブラート，ガーゼ，カプセル，眼帯，耳帯，生理帯，生理用タンポン，生理用ナプキン，生理用パンティ，脱脂綿，ばんそうこう，包帯，包帯液，胸当てパッド，歯科用材料，医療用腕環，はえ取り紙，防虫紙」を指定商品として、同２０年４月１８日に設定登録されたものである。
　
第３　当審の判断
１　本願の指定商品は、前記１のとおり補正された結果、引用商標１の指定商品と同一又は類似の商品は、すべて削除されたと認められるものである。
　その結果、本願の指定商品は、引用商標１の指定商品と類似しない商品になったと認められるものである。
　
２　本願商標は、「肌美精　ＰＲＥＭＩＵＭ ＬＩＮＥ」の漢字及び欧文字を横書きした構成からなるところ、その構成中「ＰＲＥＭＩＵＭ」の文字は、「（同種の他のものより）上等な、上質な、（他より）高価な」（小学館：ランダムハウス英和大辞典第２版）、「高級な」（自由国民社：現代用語の基礎知識２００９）、「上等な、高級な、品質の高い、高品質の」（英辞郎ｏｎ　ｔｈｅ　Ｗｅｂ：スペースアルク　http://eow.alc.co.jp/%ef%bd%90%ef%bd%92%ef%bd%85%ef%bd%8d%ef%bd%89%ef%bd%95%ef%bd%8d/UTF-8/?ref=sa）の意味を有するものである。
　また、本願商標の構成中「ＬＩＮＥ」の文字は、「（大きく分けると同種だが、型・大きさ・値段・品質などに幅のある）品ぞろえ」（小学館：ランダムハウス英和大辞典第２版）、「取扱商品［品目］」（英辞郎ｏｎ　ｔｈｅ　Ｗｅｂ：スペースアルク　http://eow.alc.co.jp/%ef%bd%8c%ef%bd%89%ef%bd%8e%ef%bd%85/UTF-8/）の意味を有するものである。
　
３　「プレミアムライン」及び「Ｐｒｅｍｉｕｍ　Ｌｉｎｅ」の文字は、「化粧品」を取り扱う業界において、以下のように使用されている事実がある。
（１）「株式会社キレイコム」が運営する「Ｗｏｍａｎ　ｅｘｃｉｔｅ　コスメ」のウェブサイトにおいて、「プレミアム ドリーミィスキンパウダー」の見出しのもと、「上質のキレイ肌、お出かけクリアラスト。仕上がりプレミアムな新カバーパウダー。ファンデーションいらずのクリアラストのフェイスパウダーに、さらに上質な仕上がりのプレミアムラインが新登場。・・・」の記載がある（http://woman.excite.co.jp/beauty/cosme/pid_34459.html）。
（２）「ＣｏｃｏｓＭｅ」のウェブサイトにおいて、「ドフーから最高級プレミアムラインが新しく登場しました。」の記載がある（http://cocosme.ocnk.net/product/236）。
（３）「プラネット化粧品」のウェブサイトにおいて、「ｋｉｋ　ＬＩＮＥ」の見出しのもと、「製品特長」の項において、「お肌にハリとツヤを与えるプレミアムライン　プラネット化粧品では、健康で美しい肌の条件である『うるおい・なめらかさ・はり・弾力・血色・トラブルがない』お肌を目指しています。そこで基本となるH・Bラインに加え、お肌にうるおいとハリ、つやを与えることを目的として誕生したのがこのｋｉｋラインです。心地よいテクスチャー（使用感）はそのままに、厳選した素材を贅沢に配合したリッチなプレミアムラインです。」の記載がある（http://www.cosme-planet.co.jp/product/kik.html）。
（４）「Ｄｒ．わかば株式会社」が運営する「Ｆｕｌｌａｃｅｒａ」のウェブサイトにおいて、「『フルセラ』は肌の症状にあわせて２つのラインをご用意」の見出しのもと、「フラセラ シンプルライン　Ｆｕｌｌａｃｅ　Ｓｉｍｐｌｅ　Ｌｉｎｅ」「フラセラ プレミアムライン　Ｆｕｌｌａｃｅ　Ｐｒｅｍｉｕｍ　Ｌｉｎｅ」の記載がある（http://www.fullacera.com//）。
（５）「ｄｉｎｏｓ」のウェブサイトにおいて、「ララビュウ エクセレントHQナノクリーム」の見出しのもと、「『ララビュウ』からプレミアムライン『エクセレントHQ』が新登場！欲しかったのは裏切らないエイジングケア」の記載がある（http://www.dinos.co.jp/p/N000388487/）。
（６）「ＮＥＣビッグローブ株式会社」が運営する「Ｋｉｒｅｉ　Ｓｔｙｌｅ」のウェブサイトにおいて、「−ＰＲＯＤＵＣＴ　ＩＮＦＯ−」の見出しのもと、「アクアコラーゲンゲル エンリッチリフト（ドクターシーラボ）」の項に「あのアクアコラーゲンゲルのプレミアムライン“Mature‐Series”が新登場！」の記載がある（http://kirei.biglobe.ne.jp/cosme/search/goods/25164）。
（７）「株式会社集英社」が運営する「ＭＡＱＵＩＡＯＮＬＩＮＥ」のウェブサイトにおいて、「リフトアップしたようなハリとツヤのある肌へ導くライン」の見出しのもと、「長年の研究が結実した大人肌のプレミアムライン」の記載がある（http://maquiaonline.com/recommend/cosmedecorte0910/index.html）。
（８）「株式会社カカクコム」が運営する「価格．ｃｏｍ」のウェブサイトにおいて、「イヴサンローラン タンマジュール ホワイトローション 200ml」の見出しのもと、「プレミアムライン“タン マジュール”より生まれた美白化粧水です。 みずみずしいテクスチャーのローションが、肌のキメひとつひとつにじっくり浸透。潤いとやわらかさで肌を満たし、健やかに・・・」の記載がある（http://kakaku.com/beauty_health/ss_0018_0003/0015/query=%94%FC%94%92/）。
（９）「Ｂ．Ｓ．Ｃ．」が運営する「Ｂｅａｕｔｉｆｕｌ．Ｓｐｅｓｉａｌ．ｃｏｍｐａｎｙ」のウェブサイトにおいて、「エステ化粧品」の見出しのもと、「ＡＨＡＶＡ」「アハバ」の項に「死海から採取される3つのユニークな成分、3DコンプレックスRを配合のプレミアムライン。・・・」の記載がある（http://www.cosme-dmc.com/items/03.html）。
　
４　前記２及び３で認定した事実によれば、本願商標の構成中「ＰＲＥＭＩＵＭ ＬＩＮＥ」の文字及び引用商標２の構成中「プレミアムライン」の文字は、「高級な品ぞろえ、上質な取扱商品」等の意味合いで使用されているものであり、これらの文字を商品「化粧品」について使用するときは、単に商品の品質を表示する文字といえるものであって、自他商品の識別標識としての機能を果たさないか、または、極めて弱い文字部分であるということができる。
　そうとすれば、本願商標は、その構成中「ＰＲＥＭＩＵＭ ＬＩＮＥ」の文字部分のみを抽出して、これより生ずる称呼「プレミアムライン」をもって取引に資されるとはいえないものであり、また、引用商標２は、その構成中「プレミアムライン」の文字部分のみを抽出して、これより生ずる称呼「プレミアムライン」をもって取引に資されるとはいえないものである。
　したがって、本願商標及び引用商標２の構成中、「ＰＲＥＭＩＵＭ ＬＩＮＥ」及び「プレミアムライン」の文字部分から「プレミアムライン」の称呼が生ずるとし、そのうえで、本願商標と引用商標２が称呼上類似するものとして、本願商標を商標法第４条第１項第１１号に該当するとした原査定は、妥当でなく、取消しを免れない。
　その他、政令で定める期間内に本願について拒絶の理由を発見しない。
　よって、結論のとおり審決する。